(57)【特許請求の範囲】
【請求項１】
熱可塑性プラスチックをブロー成形してなる中空構造のパネル状の布張り中空成形品において、パネル状の成形品の意匠面をなす表面にその周縁部分より中空部側に低くした布張り面を形成して起毛部が成形品の表面側となるように装飾布を張り付け、上記周縁部分と布張り面との境に中空部側に窪む溝部を形成するとともに周縁部分を布張り面に対して突出して起毛部の毛足が周縁部分からはみ出さないようにする縁取部とし、この縁取部で囲まれた布張り面に張り付けた装飾布の周辺部の毛足が外方に倒れないように構成されていることを特徴とするパネル状の布張り中空成形品。
【発明の詳細な説明】
【０００１】
【産業上の利用分野】
本発明は、建築物の内装壁、パーティション、扉などのパネル状の建築用中空成形品、自動車用中空成形品のようなプラスチック製中空構造のパネル状の布張り中空成形品に関する。
【０００２】
【従来の技術】
従来から、この種の中空成形品、特に、建築物の内装壁、パーティション、扉などのプラスチック製のパネル状の中空成形品は、そのパネルに意匠的効果をもたせるため、パネルの表面に装飾布を張ったものも用いられている。
【０００３】
また、中空構造のプラスチック中空体をブロー成形し、ブロー成形時に中空体の表面に織布を一体成形する方法も、特開平３−６９３３５号公報に記載されている。
【０００４】
【発明が解決しようとする課題】
ところで、表面に装飾布を張った中空体にあっては、その表面に張った装飾布の周辺部が、手などの当たりによって次第にめくれあがったり、装飾布の縁がほつれたり、あるいは毛足の長い装飾布の場合は周辺部の毛足が周縁部分からはみ出すなど、比較的短期間のうちに外観が損なわれやすいものである。
【０００５】
また、中空体のブロー成形時に装飾布を一体に成形する場合は、装飾布の毛足が長くなるほど周辺部の毛足がブロー過程で樹脂の移動に押されて、周辺方向になぎ倒される現象を呈し、装飾布をその周辺部まで外観良好に一体成形することが難しい。
【０００６】
本発明は、上記のような問題点を解消しようとするものであって、中空成形品の表面に張った装飾布の周辺部が剥がれたり、また、特に毛足の長い装飾布であっても長い毛足が周縁部分からはみ出すことがなく、外観性にすぐれたパネル状の布張り中空成形品を提供することを目的とする。
【０００７】
【課題を解決するための手段】
上記目的を達成するための本発明に係るパネル状の布張り中空成形品は、パネル状の成形品の意匠面をなす表面にその周縁部分より中空部側に低くした布張り面を形成して起毛部が成形品の表面側となるように装飾布を張り付け、上記周縁部分と布張り面との境に中空部側に窪む溝部を形成するとともに周縁部分を布張り面に対して突出して起毛部の毛足が周縁部分からはみ出さないようにする縁取部とし、この縁取部で囲まれた布張り面に張り付けた装飾布の周辺部の毛足が外方に倒れないように構成されていることを特徴とするものである。
【０００８】
【作用】
本発明に係る布張り中空成形品によれば、成形品の意匠面をなす表面にその周縁部分より中空部側に低くした布張り面を形成し、周縁部分と布張り面との境に中空部側に窪む溝部を形成して周縁部分を布張り面に対して突出する縁取部としており、その縁取部で囲まれた布張り面に装飾布を張り付けるので、布張り面に張り付けた装飾布の周縁部分は、その張り付け面より突出している縁取部により囲まれて保護される。
【０００９】
【実施例】
図１および図２は、本発明に係るパネル状の布張り中空成形品として、建築物の内壁やパーティションを構成するパネルを例示している。
【００１０】
図１および図２において、１はパネルであって、このパネル１は熱可塑性プラスチックをブロー成形したものである。パネル１は中空二重壁構造をなし、その表面に、その周縁部分より中空部側に低くした布張り面２を形成し、周縁部分と布張り面２との境に中空部側に窪む溝部３を形成して、周縁部分を布張り面２に対して突出する縁取部４としたものである。この縁取部４で囲まれた布張り面２には、装飾布５が張り付けられて、パネル１の表面が意匠面をなしている。６は中空部、７は装飾布５の基部、８はその起毛部である。
【００１１】
上記パネル１の表面において、布張り面２は周縁部分の縁取部４よりＨだけ中空部６側に低くなっており、溝部３はさらにｈだけ中空部６側に窪んでいる。そして、布張り面２の周縁と縁取部４との境には溝部３に相当する間隔９がとられており、布張り面２に張り付けた装飾布５の周辺部の毛足８ａがその間隔９内で自然に延びて、しかも縁取部４の立上り面によって外方への広がりが押さえられている。また、布張り面２は縁取部４より低く形成されているので、装飾布５の周辺部が縁取部４により保護される。このため、装飾布５の周辺部が剥がれたり、装飾布５の周辺部の毛足８ａが外方に倒れることがなく、長期間にわたってパネル１の意匠面の外観が良好に保たれる。
【００１２】
本発明に係るパネル１は、図３および図４に示すように、熱可塑性プラスチックのブロー成形により製造される。この図において、１０，１０は一対の分割形式の金型であり、その一方の金型１０には、パネルの意匠面をなす表面にその周縁部分より中空部側に低くした布張り面を成形するキャビティ１１と、周縁部分と布張り面１１との境に中空部側に窪む溝部を成形するキャビティ１２と、周縁部分に布張り面より突出する縁取部を成形するキャビティ１３を有している。
【００１３】
上記のように構成された一対の分割形式の金型１０，１０を用いてパネル１をブロー成形するにあたっては、一方の金型１０の布張り面を成形するキャビティ１１に装飾布５をその起毛部８がキャビティ側で基部７が表面側となるように嵌め込み状に装填する（図３参照）。次いで、開かれた一対の分割形式の金型１０，１０の間にパリスン１４を配置し、一対の分割形式の金型１０，１０を型締めして、パリスン１４内に圧力流体を導入すれば、パリスン１４は金型１０，１０のキャビティに沿った形状のパネルに成形されるとともに、その布張り面には一方の金型１０内に装填してあった装飾布５が、その基部７がパリスン１４に圧着され、一体に成形される（図４参照）。
【００１４】
ところで、図３に示す状態から図４に示す状態にパリスン１４がブロー成形される過程では、装飾布５の周辺部の樹脂が、内方に張り出している溝部を成形するキャビティ１２に沿って移動するので、樹脂の移動により装飾布５の周辺部の毛足８ａが移動する樹脂に押されることがない。このため、周辺部の毛足８ａがなぎ倒される現象を呈しないので、ブロー成形により、外観性にすぐれた布張り中空成形品が一体成形される。
【００１５】
【発明の効果】
本発明に係るパネル状の布張り中空成形品によれば、成形品の表面に張った装飾布の周辺部が剥がれたり、また、特に毛足の長い装飾布であっても長い繊維が周縁部分からはみ出すことがなく、外観性にすぐれたものが得られる。
【図面の簡単な説明】
【図１】  本発明に係るパネル状の布張り中空成形品の一例を示す全体斜視図である。
【図２】  図１におけるＡ−Ａ線拡大断面図である。
【図３】  本発明に係るパネル状の布張り中空成形品のブロー成形態様を示す一部の断面図である。
【図４】  図３の状態から型締めしてブロー成形後の状態を示す一部の断面図である。
【符号の説明】
１  パネル
２  布張り面
３  溝部
４  縁取部
５  装飾布
６  中空部
７  装飾布の基部
８  起毛部
８ａ  毛足
９  間隔
１０  一対の分割形式の金型
１１  布張り面を成形するキャビティ
１２  溝部を成形するキャビティ
１３  縁取部を成形するキャビティ
１４  パリスン
【図１】
0003814679.tif 000002
【図２】
0003814679.tif 000003
【図３】
0003814679.tif 000004
【図４】
0003814679.tif 000005